(57)【要約】      （修正有）【課題】大腸内視鏡を抜いたり再挿入せずに多発ポリープ等を一括して回収できるようにすること。【解決手段】柔軟なポリープ等の回収用ネット１２と、前記ネットの開口端側に環状に通された極細の糸からなる環状リング１６と、一端が前記環状リングの一部に結合され、他端が長くのばされた極細の糸１８と、前記極細の糸に摺動可能に取り付けられたネット止め具２０，２０’と、前記極細の糸の他端が通され、前記ネット止め具よりも小径である可撓性の第１のシース２２と、前記シース２２及び前記ネット止め具よりも大径であり、内部に先端が分離されたスネア２８が通されている可撓性の第２のシース２６とを有し、前記第１のシースを前記の第２のシース内に配置し、前記先端が分離されたスネアを前記回収用ネットの開口端側に通して、該回収用ネットの開口端側を開口状態で保持するようにする。【選択図】        図２
2004166876.tif 000002
【特許請求の範囲】
【請求項１】
少なくとも、
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
前記極細の糸に摺動可能に取り付けられたネット止め具と、
からなるポリープ等の一括回収用ネット。
【請求項２】
前記ネット止め具には複数個の孔が設けられ、前記極細の糸が前記孔の一方に通されていることを特徴とする請求項１に記載のポリープ等の一括回収用ネット。
【請求項３】
前記ネット止め具が複数個設けられていることを特徴とする請求項１又は２に記載のポリープ等の一括回収用ネット。
【請求項４】
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
（４）前記極細の糸に摺動可能に取り付けられたネット止め具と、
（５）前記極細の糸の他端が通され、前記ネット止め具よりも小径である可撓性のシースと、
からなるポリープ等の一括回収用処理具。
【請求項５】
前記ネット止め具には複数個の孔が設けられ、前記極細の糸が前記孔の一方に通されていることを特徴とする請求項４記載のポリープ等の一括回収用処理具。
【請求項６】
前記ネット止め具が複数個設けられていることを特徴とする請求項４又は５に記載のポリープ等の一括回収用処理具。
【請求項７】
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
（４）前記極細の糸に摺動可能に取り付けられたネット止め具と、
（５）前記極細の糸の他端が通され、前記ネット止め具よりも小径である可撓性の第１のシースと、
（６）前記可撓性の第１のシース及び前記ネット止め具よりも大径であり、内部に先端が分離されたスネアが通されている可撓性の第２のシースと、
を有し、前記可撓性の第１のシースが前記可撓性の第２のシース内に配置され、前記先端が分離されたスネアが前記回収用ネットの開口端側に通されて、該回収用ネットの開口端側を開口状態で保持していることを特徴とするポリープ等の一括回収用処理具。
【請求項８】
前記ネット止め具には極細の糸とともに前記スネアの端部も通されていることを特徴とする請求項７に記載のポリープ等の一括回収器具。
【請求項９】
前記ネット止め具には複数個の孔が設けられ、前記極細の糸が前記孔の一方に通されており、さらに前記スネアの端部が前記孔の他方に通されていることを特徴とする請求項７に記載のポリープ等の一括回収用処理具。
【請求項１０】
前記ネット止め具が複数個設けられていることを特徴とする請求項７〜９の何れかに記載のポリープ等の一括回収用処理具。
【発明の詳細な説明】
【０００１】
【発明が属する技術分野】
この発明は、大腸内視鏡検査等に使用するポリープ等の一括回収用ネット及び一括回収用処置具に関し、特に大腸内視鏡検査等において大腸内視鏡を抜いたり再挿入することなしに多発ポリープ等複数個の組織を一括して回収し得るポリープ等の一括回収用ネット及び一括回収用処置具に関する。
【０００２】
【従来の技術】
従来から挿入部を有する内視鏡を用いて大腸内視鏡検査が行われており、この大腸内視鏡検査に際してポリープ等の病変部が発見された場合には、大腸内視鏡と組み合わされて使用される処置具によりポリープ等の病変部を切除することが普通に行われている。この切除したポリープ等は組織診断等のためには外部に取り出す必要がある。
【０００３】
現在、上行結腸等の深部大腸に５ｍｍを超えるポリープがあった場合、ポリープ切除術を行い、取れたポリープをいわゆる３脚という処置具を大腸内視鏡の各種処理具挿入口から出して捕獲し、そのまま大腸内視鏡を引き抜いて回収して組織診断を行っている。しかしながら、大腸内のポリープは１箇所のみでなく複数箇所同時に発生することが多く、大腸内視鏡を引き抜く際に別途大きなポリープが見つかった場合には、大腸内視鏡再度挿入してポリープを切除及び回収する必要があった。この時、大腸内には空気が多くなり、内視鏡の再挿入に時間がかり、患者の負担も大きいという問題点があった。
【０００４】
このポリープが非常に小さい場合には、内視鏡の各種処理具挿入口から吸引トラップにより吸引して回収することが可能であるが、その際にポリープは座滅する可能性があり、また、１ｃｍを超える大きなポリープは各種処理具挿入口内に入らないため回収することはできなかった。
【０００５】
一方、このような多発ポリープ等をそれぞれ切り取った後、一括して回収する処置具として既に回転式の回収ネットが市販されている。この回収ネットの具体的構成を図４を用いて説明すると、この回収ネット５０は、軟質の繊維より作製されたネット部５２を備え、このネット部５２の開口付近にはスネア状の硬質の弾性ワイヤからなるネットワイヤ５３が通されて、ネット部５２の開口部の形状がポリープを受け入れ易いようにほぼ長円形状になるように保持されている。
【０００６】
このスネア状のネットワイヤ５３の末端５４には更にスライドワイヤ５６が接続され、このスライドワイヤ５６は細長い可撓性のシース５８及びこのシース５８に一体に取り付けられている本体６０の内部を経てネットリング６２にまで延びている。また本体６０には前記シース５８と指掛けリング６４とが一体に構成されており、この本体６０と指掛けリングとの間にはスライダ６６が摺動可能に取り付けられている。このスライダ６６には、両端に指を挿入する２つのリング６８、６８’が設けられ、また中央部にネットリング６２を取り付け固定するためのネットリング取付部７０が設けられている。
【０００７】
前記回収ネット５０の使用方法は次のとおりである。まず、別途被験者の大腸内視鏡内に挿入された処置具により１ないし複数のポリープの切除が行なわれる。次いで、スネア状のネットワイヤ５３の先端５５を開いてネット５２の開口端部を開いた状態で支持するように取り付けた後にネットワイヤ５３の先端を閉じる。そうすると、ネット５２はスネア状のネットワイヤ５３から外れない状態となる。その後にスライドワイヤ５６のネットリング６２をネットリング取付部７０に取り付けた後、２つのリング６８、６８’のそれぞれ人差し指及び中指を、また指かけリング６４に親指をかけてスライダ６６を指掛けリング６４側へ移動させる。そうするとスネア状のネットワイヤ５３の末端がシース５８内に引き込まれるので、シース状のネットワイヤ５３の中央部が閉じて細長い形状となり、大腸内視鏡の各種処理具挿入口内に挿入できる状態となる。
【０００８】
この状態で回収ネット５０をネット５２側より被験者の肛門より挿入された大腸内視鏡の鉗子等の各種処理具挿入口（図示せず）より挿入し、ネット５２が大腸内の所定位置に達したときにスライダ６６を最初の位置にまで戻す。そうすると、スネア状のネットワイヤ５３は自身の弾力により元の状態に戻るので、ネット５２の開口部が開く。次いで、本体６０を回転操作することにより１ないしは複数のポリープをネット５２内へ採取し、その後再度スライダ６６を指掛けリング６４側へ移動させるとネット５２の開口端が閉じるので、ネット５２内に１ないしは複数のポリープが採取された状態となる。
【０００９】
この段階で大腸内視鏡を被験者の肛門より引き出すと、ネット５２もそれと一緒に引き出されるので、１ないし複数のポリープを一度の操作で取り出すことができる。この回収ネット５０を使用することにより、バラバラになりやすい病変部の組織も安全に確実に回収でき、また、回収した組織の座滅も防止できるという効果を奏するものである。
【００１０】
【発明が解決しようとする課題】
しかしながら、上記の市販の回収ネット５０を使用する場合は、予めポリープ等を切除してこの切除した多数のポリープ等を回収前に１箇所に集めなければならず、しかも、一旦ポリープ等を回収ネット５０内に回収して大腸内視鏡を引き出す際に新たなポリープ等が発見されても、この回収ネット５０のシース５８が大腸内視鏡の各種処理具挿入口内に挿入されているために、この新たに発見されたポリープ等を再度切除するための処置具を挿入することができないという問題点が存在していた。もちろん、大腸内視鏡に各種処理具挿入口を複数個設けることができれば、回収ネット５０のシース５８が挿入されている各種処理具挿入口とは異なる各種処理具挿入口より所定の処置具を挿入することができるようになるが、このような構成は大腸内視鏡の外径が大きくなりすぎるために被験者に与える苦痛が大きくなるので実用的ではない。
【００１１】
【課題を解決するための手段】
本発明者は上記のような従来のポリープ等の回収処置具が有する問題点を解決すべく種々検討を重ねた結果、各種処理具挿入口内に極細の糸のみが存在していてもこの各種処理具挿入口内にポリープ等を切除するための処置具や別個の回収ネットを挿入し得ること、及び、回収ネットに極細の糸を接続し、回収ネット内にポリープ等を回収した後にこの回収ネットを体内に残したまま極細の糸のみ外部に導出できればよいことを見出し、本発明を完成するに至ったのである。
【００１２】
【発明の実施の形態】
すなわち、本発明は、大腸内視鏡に使用し得る１ないし多数のポリープ等の一括回収用ネットを提供することを目的とする。また、本発明の別の目的は、前記１ないし多数のポリープ等の一括回収用ネットを使用したポリープ等の一括回収用処置具を提供することを目的とする。
【００１３】
本発明の上記目的は以下の構成により達成し得る。すなわち、本発明の第１の態様によれば、少なくとも、
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
前記極細の糸に摺動可能に取り付けられたネット止め具と、
からなるポリープ等の一括回収用ネットが提供される。
【００１４】
かかる構成のポリープ等の一括回収用ネットを採用すれば、大腸内でポリープ等をネット内に回収した場合には、
（ａ）ネット止め具によりネットの開口が開かないように止めることができるので、ネット内に回収したポリープ等を漏出させるおそれがなくなる、
（ｂ）極細の糸を長く延ばして大腸内視鏡の各種処理具挿入口内を通して外部へ導き出すことができるので、別個にポリープ等が発見されても、
（ｂ−１）この回収用ネットを大腸内に残したまま、大腸内視鏡を引き抜くことなしに再度鉗子を各種処理具挿入口内に挿入してこのポリープ等の切除を行えるようになるために、患者等に与える苦痛も少なくなる、
（ｂ−２）別の本発明に従うポリープ等の一括回収用処置具を各種処理具挿入口内に挿入して別個にポリープ等を回収することができるようになるので、複数個のポリープ等を切除した場所ごとに区別して回収することができるようになる、
（ｃ）前記のように大腸内に残した複数個のポリープ等の一括回収用ネットは、大腸内視鏡を引き抜く際に極細の糸の他端を同時に引き抜くことにより、大腸内視鏡と共に数珠繋ぎに無理な力を加えることなく容易に取り出すことができるので、回収したポリープ等の座滅も少ない、
という優れた効果を奏する。
【００１５】
かかる態様においては、前記ネット止め具には複数個の孔を設け、前記極細の糸を前記孔の一方に通すようになすことが望ましい。かかる構成を採用すれば、前記ネット止め具に極細の糸以外にスネアの端部等他の手段を別個に通すことができるようになる。さらに、かかる態様においては、ネット止め具を複数個設けるようになすことが望ましい。かかる構成を採用すれば、ネットを絞ったときの固定力が大きくなるので、ネット内に回収したポリープ等が漏出しにくくなる。
【００１６】
また、本発明の別の態様によれば、少なくとも、
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
（４）前記極細の糸に摺動可能に取り付けられたネット止め具と、
（５）前記極細の糸の他端が通され、前記ネット止め具よりも小径である可撓性のシースと、
からなるポリープ等の一括回収用処置具が提供される。
【００１７】
かかる態様によれば、回収用ネット内にポリープ等を回収した場合には、単に極細の糸を引っ張るだけで、ネット止め具が可撓性のシースに引っかかるために、回収用ネットの開口を容易に閉じることができるようになり、加えて、上述の第１の態様により奏する効果を有効に発揮できるようになる。
【００１８】
かかる態様においては、前記ネット止め具には複数個の孔を設け、前記極細の糸を前記孔の一方に通すようになすことが望ましい。かかる構成を採用すれば、前記ネット止め具に極細の糸以外にスネア等他の処置具を通すことができるようになる。さらに、かかる態様においてはネット止め具を複数個設けるようになすことが望ましい。かかる構成を採用すれば、ネットを絞ったときの固定力が大きくなるので、ネット内に回収したポリープ等が漏れにくくなる。
【００１９】
更に、本発明の別の態様によれば、
（１）柔軟なポリープ等の回収用ネットと、
（２）前記回収用ネットの開口端側に環状に通された極細の糸からなる環状リングと、
（３）一端が前記環状リングの一部に結合され、他端が長くのばされた極細の糸と、
（４）前記極細の糸に摺動可能に取り付けられたネット止め具と、
（５）前記極細の糸の他端が通され、前記ネット止め具よりも小径である可撓性の第１のシースと、
（６）前記可撓性の第１のシース及び前記ネット止め具よりも大径であり、内部に先端が分離されたスネアが通されている可撓性の第２のシースと、
を有し、前記可撓性の第１のシースが前記可撓性の第２のシース内に配置され、前記先端が分離されたスネアが前記回収用ネットの開口端側に通されて、該回収用ネットの開口端側を開口状態で保持していることを特徴とするポリープ等の一括回収用処置具が提供される。
【００２０】
かかる態様によれば、回収用ネットはスネアにより開口端を保持されているので、
（ａ）可撓性の第１のシースを及び回収ネットを可撓性の第２のシース内に入るようにすると、可撓性の第２のシースによりスネアが閉じられるので、回収ネットの開口端は細長い形状に閉じられるため、容易に大腸内視鏡に挿入することができるようになる、
（ｂ）所定のポリープ等の回収位置では、可撓性の第２のシースを引っ張ることにより可撓性の第１のシースを及び回収ネットを可撓性の第２のシースから出るようにすると、スネアの弾性により回収ネットの開口端が開いてポリープ等を回収できるようになる、
という効果を奏するほか、上述の本発明の第１の態様及び第２の態様で奏する効果を有効に発揮できるようになる。
【００２１】
かかる態様においては、前記ネット止め具には極細の糸とともに前記スネアも通されていることが望ましい。かかる構成を採用すれば、スネアの固定が安定化されるので、前記極細の糸を引っ張って前記ネットの開口部を締めるときにスネアとネットの開口部とが分離することなく、スムーズに締めることができるようになる。
【００２２】
また、かかる態様においては、前記ネット止め具に複数個の孔を設け、前記極細の糸を前記孔の一方に通し、さらに前記スネアを前記孔の他方に通すようになすことが望ましい。かかる構成を採用すれば、一方の操作により他方が影響を受けることがなくなるので、安定して所定の操作を行えるようになる。さらに、かかる態様においてはネット止め具を複数個設けるようになすことが望ましい。かかる構成を採用すれば、ネットを絞ったときの固定力が大きくなるので、ネット内に回収したポリープ等が漏れにくくなる。
【００２３】
【実施例】
以下、本発明のポリープ等の一括回収用ネット及び一括回収用処置具の具体例を図面を用いて説明する。なお、図１は本発明のポリープ等の一括回収用処置具の組み立て前の状態を示した一部断面図であり、図１（Ａ）は回収ネット及び極細の糸と第１の可撓管とを組み合わせた図、図１（Ｂ）は第２の可撓管とスネアとを組み合わせた図である。また、図２は図１（Ａ）及び図１（Ｂ）の示された部材を組み合わせた状態の図であり、図２（Ａ）はその斜視図、図２（Ｂ）は図２（Ａ）の一部断面図である。
【００２４】
図１（Ａ）において、本実施例のポリープ等の回収ネット１０は、柔軟な一端が開口された回収用ネット１２を有し、このネット１２の開口端１４には極細の環状に通された糸、例えば極細のテグスからなる環状リング５６が設けられている。この回収用ネット１２としては図１（Ａ）においては、開口端１６がリング状に形成されているものを示したが、必ずしもこのような構成を備えている必要はなく、市販のポリープ等の回収用ネットをそのまま使用できる。この環状リングの任意位置には極細の糸１８、例えば極細のテグスの一端部が結びつけられており、この極細の糸１８は、ネット止め具２０、２０’を介して可撓性の第１のシース２２内を通され、この第１のシースの途中に設けられている開口２４から更に外部に延びている。
【００２５】
ネット止め具２０、２２’は、極細の糸１８に摺動可能に設けられており、この極細の糸が引っ張られたときにネット１２の開口端１４を絞って閉鎖してその状態を維持する程度の抵抗を有するようになされており、さらにその大きさは第１のシース２２の外径よりも大きくなっている。したがって、図１（Ａ）に示した状態で極細の糸１８を引っ張ると、ネット止め具２０、２０’は第１のシースの開口端に引っかかり、その後、極細の糸からなる環状リング１６がネット止め具２０、２０’内に引き込まれてネット１２の開口端１４が絞られて閉鎖される。
【００２６】
なお、この例では、ネット１２の開口端１４を絞って閉鎖したときに容易に開かないようにするために、ネット止め具２０、２０’を２つ設けたものを示したが、必要に応じて個数を変えてもよく、また、極細の糸１６は第１のシース１１の途中に設けられた孔２４から導出したものを示したが、第１のシースの末端から導出してもよいことは勿論である。
【００２７】
さらに、本実施例においては、図１（Ｂ）に示したように、前記可撓性の第１のシース２２より大径でありかつ前記ネット止め具２０、２０’よりも大径の可撓性の第２のシース２６を有し、該可撓性の第２のシース２６内には周知の弾性部材からなるスネア２８が挿入され、このスネア２８の先端は分離されており、末端は第２のシース２６の端部より外部へ導出されている。この第２のシースの外径は大腸内視鏡の各種処理具挿入口の大きさよりも小さくなされている。
【００２８】
図１（Ａ）に示されている可撓性の第１のシース２２を図１（Ｂ）に示されている可撓性の第２のシース２６内に挿入して、スネア２８を前記ネット１２の開口端に通すと、図２（Ａ）及び図２（Ｂ）に示したようなポリープ等の一括回収用処置具３８が得られる。この状態では、スネア２８の弾性力によりネット１２の開口端１４は開いた状態で保持される。そして、使用前には通常この状態に組み立てて保存される。なお、この例では極細の糸を可撓性の第２のシース２６の途中に設けられた開口３４から外部に導出した構成を示したが、第２のシース２６の端部から外部に導出するようになしてもよい。
【００２９】
このポリープ等の一括回収用処置具３８を使用する際には、スネア２８の端部３６を引っ張り、また、極細の糸１８はたるまない程度に同時に引っ張ると、スネア２８は第２のシース２６内に入り、それと共に第１のシース２２及びネット止め具２０、２０’も第２のシース内に入るが、スネア２２の末端３２が第２のシース２６内に入とスネア２８の幅が狭まってネット１２の開口端１４の形状は細長くなる。この状態で一括回収用処置具３８を大腸内視鏡の各種処理具挿入口より挿入して大腸の所定位置まで送り込む。第２のシース２６の先端が大腸内視鏡の先端開口部より出た状態でスネア２８の端部３６を押し込むことによりスネア２８が第２のシース２６の開口から出るようにすると、スネア２８はその弾性力により元の形状に戻るので、ネット１２の開口端１４は開いた状態となり、ポリープ等を回収する準備が整う。
【００３０】
所定の操作によりポリープ等をネット１２内に回収した後、極細の糸１８及びスネア２８の端部３６を同時に引っ張ると、ネット止め具２０、２０’は第１のシースの入り口端で引っかかり、次いで、スネアの先端３０が開いているので、スネア２８がネット１２の開口端から抜け、それに引き続いて環状リングがネット止め具２０、２０’を経て第１シース２２内に引き込まれるので、ネット１２の開口端１４が絞られ、ネット１２内に回収されたポリープ等が保持される。
【００３１】
この状態で、第１のシース２２、第２のシース２６及びスネア２８を大腸内視鏡の各種処理具挿入口より引き抜くと、図３（Ａ）に示したように、ポリープ等を保持したネット１２は極細の糸１８につながれたまま大腸内に残ったままとなる。なお、図３（Ａ）において、大腸内視鏡４０には、操作部４２、鉗子等の各種処置具挿入口部４４、可撓管４６及び観察窓、照明窓等の各種先端開口部４８が設けられているが、これらの構成は全て周知のものであるので、詳細な説明は省略する。
【００３２】
なお、上記の例では、スネア２８の端部３６をネット止め具２０ないしは２０’に通さない状態のものを示したが、スネア２８の端部３６は極細糸１８と共に２０、２０’に通してもよく、或いはネット止め具２０、２０’に孔を２個設けて、一方の孔に極細糸１８を通し、他方の孔にスネア２８の端部３６を通すようにしてもよい。このような構成とすれば、スネア２８の固定が安定化するので、ネット１２の開口部１４を締める際にスムーズに締めることができるようになる。
【００３３】
この状態では、大腸内視鏡４０の鉗子等の各種処置具挿入口部４４内には極細の糸１８のみしか残っていないので、この大腸内視鏡４０を取り出す際に新たなポリープ等が発見された場合、各種処置具挿入口部４４より新たに鉗子等を挿入してポリープ等を切除することができ、この鉗子等を除去した後に再度図２（Ａ）及び図２（Ｂ）に示したようなポリープ等の一括回収用処置具３８を挿入してネット１２内にポリープ等を回収することができる。
【００３４】
そして、この状態で第１のシース、第２のシース及びスネアを大腸内視鏡４０の各種処置具挿入口部４４より引き抜くと、図３（Ｂ）に示したように、先のポリープ等を保持したネット１２を残したまま、新たにポリープ等を保持したネット１２’が極細の糸１８’につながれたて大腸内に残った状態となる。このような処置を必要な回数だけ繰り返した後、大腸内視鏡４０及び極細の糸１８、１８’・・・を同時に引き抜くと、大腸内視鏡４０の先端開口部の後にポリープ等を保持したネット１２、１２’・・・が数珠繋ぎに連なって取り出すことができる。
【００３５】
【発明の効果】
以上述べたとおり、本発明によれば、１ないし複数のポリープを一度の操作で回収した場所ごとに区別して取り出すことができ、バラバラになりやすい病変部の組織も安全に確実に回収でき、また、回収した組織の座滅も防止できるという効果を奏するだけでなく、患者に与える影響も非常に少ないという効果を奏するものである。
【図面の簡単な説明】
【図１】図１は、本発明のポリープ等の一括回収用処置具の組み立て前の状態を示した一部断面図であり、図１（Ａ）は回収ネット及び極細の糸と第１の可撓管とを組み合わせた図、図１（Ｂ）は第２の可撓管とスネアとを組み合わせた図である。
【図２】図２は図１（Ａ）及び図１（Ｂ）の示された部材を組み合わせた状態の図であり、図２（Ａ）はその斜視図、図２（Ｂ）は図２（Ａ）の一部断面図である。
【図３】図３は、ネット内にポリープ等を回収して大腸内視鏡を取り出す前の状態を示す図であり、図３（Ａ）は１箇所でポリープ等を回収した状態を表す図、図３（Ｂ）は２箇所でポリープ等を採取した状態を示す図である。
【図４】図４は、市販されているポリープ等の回収ネットを表す図である。
【符号の説明】
１０    ポリープ等の回収ネット
１２    回収用ネット
１４    回収用ネットの開口端
１６    環状リング
１８    極細の糸
２０、２０’    ネット止め具
２２    第１のシース
２６    第２のシース
２８  スネア
【図１】
2004166876.tif 000003
【図２】
2004166876.tif 000004
【図３】
2004166876.tif 000005
【図４】
2004166876.tif 000006